(57)【要約】【課題】  原稿を読み取ったデータのノイズを少なくする。【解決手段】  画像読取装置は、原稿を搬送するＡＤＦ３と、搬送途中の原稿の一方の面を読み取る第１読取部４１と、第１読取部４１が読み取る原稿面と反対側の面を読み取る第２読取部２９と、原稿の片面を読み取る片面読取モードの場合に原稿がＡＤＦ３により搬送されることにより第２読取部２９にごみが付きにくい第１の状態にし、原稿の両面を読み取る両面読取モードの場合に第１の状態と異なる第２の状態にするＡＤＦ制御部６１と、を備える。【選択図】        図１
2008193447.tif 000002
【特許請求の範囲】
【請求項１】
原稿を搬送する搬送手段と、
搬送途中の原稿の一方の面を読み取る第１読取手段と、
前記第１読取手段が読み取る原稿面と反対側の面を読み取る第２読取手段と、
原稿の片面を読み取る片面読取モードの場合に前記原稿が搬送手段により搬送されることにより前記第２読取手段にごみが付きにくい第１の状態にし、原稿の両面を読み取る両面読取モードの場合に前記第１の状態と異なる第２の状態にする状態制御手段と、を備えた画像読取装置。
【請求項２】
前記状態制御手段は、前記両面読取モードの場合に前記第２読取手段が原稿の読取位置を向くようにし、前記片面読取モードの場合に前記第２読取手段が前記読取位置を向く方向とは異なる方向を向くように前記第２読取手段を移動させる方向制御手段を含む、請求項１に記載の画像読取装置。
【請求項３】
前記第２読取手段が原稿を読み取る読取位置を含む第１の経路と、前記読取位置を含まない第２の経路とのいずれかに切換える搬送経路切換手段を含み、
前記状態制御手段は、前記両面読取モードの場合に搬送経路切換手段に前記第１の搬送経路に切換えさせ、前記片面読取モードの場合に搬送経路切換手段に前記第２の搬送経路に切換えさせる切換制御手段を含む、請求項１に記載の画像読取装置。
【請求項４】
前記搬送手段は、前記第２読取手段と原稿との間が第１の距離となるように原稿を搬送する第１搬送モードと、前記第２読取手段と原稿との間が前記第１の距離よりも長い第２の距離となるように原稿を搬送する第２搬送モードとのいずれか一方の搬送モードで原稿を搬送し、
前記状態制御手段は、前記両面読取モードの場合に前記搬送手段に前記第１搬送モードで原稿を搬送させ、前記片面読取モードの場合に前記搬送手段に前記第２の搬送モードで原稿を搬送させる搬送制御手段を含む、請求項１に記載の画像読取装置。
【請求項５】
前記第２読取手段と前記搬送経路とを遮断する遮断手段を含み、
前記状態制御手段は、前記両面読取モードの場合に前記遮断手段に遮断させず、前記片面モードの場合に遮断させる遮断制御手段を含む、請求項１に記載の画像読取装置。
【請求項６】
前記遮断手段は、前記読取手段の読取面を覆う位置と、前記読取面を開放する位置との間を移動可能なカバー部材と、
前記カバー部材を移動させるカバー部材移動手段と、を含み、
前記カバー部材は、前記読取面を覆う位置で該読取面に接する清掃部材を含む、請求項５に記載の画像読取装置。
【請求項７】
前記原稿搬送手段は、前記第２読取手段が原稿を読み取る読取位置を一度通過した原稿を反転し、前記読取位置を再度通過させる反転搬送モードで原稿を搬送可能であり、
前記状態制御手段は、前記原稿搬送手段が前記反転搬送モードで原稿を搬送する間は、前記第１の状態に切換える、請求項１に記載の画像読取装置。
【発明の詳細な説明】
【技術分野】
【０００１】
この発明は画像読取装置に関し、特に原稿の両面を読取り可能な画像読取装置に関する。
【背景技術】
【０００２】
自動原稿搬送装置（以下「ＡＤＦ」という）が原稿を搬送している間に、原稿の画像を読み取るシートスルータイプの原稿読取装置が知られている。最近では、原稿を読み取るための画像センサを２つ設け、ＡＤＦが原稿を搬送している間に、２つの画像センサに原稿の両面をそれぞれ読み取らせる原稿読取装置が知られている。
【０００３】
一方、原稿が搬送される途中で紙粉などのゴミが発生する場合があり、このゴミが画像センサで読み取られてしまうと、画像センサが出力する画像データにノイズとして現れてしまう。
【０００４】
画像センサでゴミを読み取らないようにするために、清掃位置を特定したり、清掃を容易にしたりする技術が、例えば、特開２０００−５００６２号公報（特許文献１）、特開２００４−４５５５４号公報（特許文献２）に記載されている。
【０００５】
しかしながら、従来の技術では、画像センサでゴミを読み取らないようにするための清掃作業を容易にすることができるけれども、清掃回数を減らすことはできない。
【特許文献１】特開２０００−５００６２号公報
【特許文献２】特開２００４−４５５５４号公報
【発明の開示】
【発明が解決しようとする課題】
【０００６】
この発明は上述した問題点を解決するためになされたもので、この発明の目的の一つは、原稿を読み取ったデータのノイズを少なくすることが可能な画像読取装置を提供することである。
【課題を解決するための手段】
【０００７】
上述した目的を達成するためにこの発明のある局面によれば、画像読取装置は、原稿を搬送する搬送手段と、搬送途中の原稿の一方の面を読み取る第１読取手段と、第１読取手段が読み取る原稿面と反対側の面を読み取る第２読取手段と、原稿の片面を読み取る片面読取モードの場合に原稿が搬送手段により搬送されることにより第２読取手段にごみが付きにくい第１の状態にし、原稿の両面を読み取る両面読取モードの場合に第１の状態と異なる第２の状態にする状態制御手段と、を備える。
【０００８】
この局面に従えば、原稿の片面を読み取る片面読取モードの場合に、原稿が搬送されることにより第２読取手段にごみが付きにくい第１の状態となるので、第２読取手段で原稿を読み取らないときに、第２読取手段にゴミが付くのが防止される。その結果、原稿を読み取ったデータのノイズを少なくすることが可能な画像読取装置を提供することができる。
【０００９】
好ましくは、状態制御手段は、両面読取モードの場合に第２読取手段が原稿の読取位置を向くようにし、片面読取モードの場合に第２読取手段が読取位置を向く方向とは異なる方向を向くように第２読取手段を移動させる方向制御手段を含む。
【００１０】
この局面に従えば、両面読取モードの場合に、第２読取手段が原稿の読取位置を向くようにし、片面読取モードの場合に、第２読取手段が読取位置を向く方向とは異なる方向を向くように第２読取手段を移動させる。このため、第２読取手段で原稿を読み取らないときに、原稿が搬送されることにより発生するゴミが第２読取手段に付くのを防止することができる。
【００１１】
好ましくは、第２読取手段が原稿を読み取る読取位置を含む第１の経路と、読取位置を含まない第２の経路とのいずれかに切換える搬送経路切換手段を含み、状態制御手段は、両面読取モードの場合に搬送経路切換手段に第１の搬送経路に切換えさせ、片面読取モードの場合に搬送経路切換手段に第２の搬送経路に切換えさせる切換制御手段を含む。
【００１２】
この局面に従えば、両面読取モードの場合に、読取位置を含む第１の経路で原稿が搬送され、片面読取モードの場合に読取位置を含まない第２の経路で原稿が搬送される。このため、第２読取手段で原稿を読み取らないときに、原稿が第２読取手段の読取位置を通らないので、原稿が搬送されることにより発生するゴミが第２読取手段に付くのを防止することができる。
【００１３】
好ましくは、搬送手段は、第２読取手段と原稿との間が第１の距離となるように原稿を搬送する第１搬送モードと、第２読取手段と原稿との間が第１の距離よりも長い第２の距離となるように原稿を搬送する第２搬送モードとのいずれか一方の搬送モードで原稿を搬送し、状態制御手段は、両面読取モードの場合に搬送手段に第１搬送モードで原稿を搬送させ、片面読取モードの場合に搬送手段に第２の搬送モードで原稿を搬送させる搬送制御手段を含む。
【００１４】
この局面に従えば、片面読取モードの場合は、両面読取モードの場合よりも第２読取手段と原稿との間の距離が長くなる。このため、第２読取手段で原稿を読み取らないときに、原稿が第２読取手段の近傍を通らないので、原稿が搬送されることにより発生するゴミが第２読取手段に付くのを防止することができる。
【００１５】
好ましくは、第２読取手段と搬送経路とを遮断する遮断手段を含み、状態制御手段は、両面読取モードの場合に遮断手段に遮断させず、片面モードの場合に遮断させる遮断制御手段を含む。
【００１６】
この局面に従えば、片面読取モードの場合に、第２読取手段と搬送経路とが遮断されるので、原稿が搬送されることにより発生するゴミが第２読取手段に付くのを防止することができる。
【００１７】
好ましくは、遮断手段は、読取手段の読取面を覆う位置と、読取面を開放する位置との間を移動可能なカバー部材と、カバー部材を移動させるカバー部材移動手段と、を含み、カバー部材は、読取面を覆う位置で該読取面に接する清掃部材を含む。
【００１８】
好ましくは、原稿搬送手段は、第２読取手段が原稿を読み取る読取位置を一度通過した原稿を反転し、読取位置を再度通過させる反転搬送モードで原稿を搬送可能であり、状態制御手段は、原稿搬送手段が反転搬送モードで原稿を搬送する間は、第１の状態に切換える。
【００１９】
この局面に従えば、搬送経路を一度通過した原稿を反転させて再度通過させる反転搬送モードで原稿を搬送する間は、第２読取手段にゴミが付くのが防止されるので、第２読取手段で原稿を読み取らないときに、第２読取手段にゴミが付くのが防止される。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰返さない。
【００２１】
＜第１の実施の形態＞
図１は、本発明の第１の実施の形態における画像読取装置の内部構成の概略を示す断面図である。図１を参照して、画像読取装置１は、ＡＤＦ３と、スキャナ５とを含む。ＡＤＦ３は、給紙トレイ１１と、給紙ローラ１３と、分離ローラ１５，１７と、読取前ローラ１９と、中間ローラ２１と、読取後ローラ２３と、排出ローラ２５と、排紙トレイ２７と、第２読取部２９と、ＡＤＦ３の全体を制御するためのＡＤＦ制御部６１と、含む。
【００２２】
スキャナ５は、透明な部材から構成されたプラテンガラス３１と、光を照射するための光源３３と、光源からの光を反射させる反射部材３５と、３つのラインセンサが副走査方向に配列された第１読取部４１と、原稿からの反射光を反射して第１読取部４１に導くための反射ミラー３７Ａ，３７Ｂ，３７Ｃと、反射ミラー３７Ｃで反射した光を第１読取部４１上に結像させるためのレンズ３９と、第１読取部４１が出力する画像データを処理するための第１画像処理部４３と、第２読取部２９が出力する画像データを処理するための第２画像処理部４５と、スキャナ５の全体を制御するスキャナ制御部５１と、を含む。
【００２３】
ＡＤＦ制御部６１は、給紙トレイ１１、給紙ローラ１３、分離ローラ１５，１７、読取前ローラ１９、中間ローラ２１、読取後ローラ２３および排出ローラ２５を回転させる動力源となるモータの駆動を制御する。
【００２４】
給紙ローラ１３は、給紙トレイ１１に積載された複数の原稿の最上段から１枚の原稿をさばき、分離ローラ１５に原稿を搬送し、分離ローラ１５，１７は、原稿を読取前ローラ１９に搬送する。読取前ローラ１９は、原稿をスキャナ５の第１読取位置Ｌ１に搬送する。読取前ローラ１９により搬送され、第１読取位置Ｌ１を通過した原稿は、中間ローラ２１に到達すると、読取前ローラ１９および中間ローラ２１により搬送される。中間ローラ２１を通過した原稿は、第２読取部２９の第２読取位置Ｌ２を通り、読取後ローラ２３に導かれる。読取後ローラ２３は、原稿を排出ローラ２５に導く。排出ローラ２５を通過した原稿は、排紙トレイ２７に排出され、積載される。
【００２５】
第１読取部４１は、主走査方向に複数が配列されたＣＣＤ（Ｃｈａｒｇｅ  Ｃｏｕｐｌｅｄ  Ｄｅｖｉｃｅ）等の光電変換素子を含む。第１読取部４１は、ＡＤＦ３により搬送される原稿が第１読取位置Ｌ１を通過する際に、原稿に形成されている画像を光学的に読み取り、光電変換した画像データを第１画像処理部４３に出力する。
【００２６】
第２読取部２９は、例えばＣＩＳ（Ｃｏｎｔａｃｔ  Ｉｍａｇｅ  Ｓｅｎｓｏｒ）であり、原稿の搬送方向と実質的に垂直な主走査方向に配列された複数の光電変換素子を含む。第２読取部２９は、原稿の搬送経路に設けられた開口部２８に望んでおり、第２読取位置Ｌ２を通過する原稿に形成されている画像を光学的に読み取り、光電変換した画像データを、第２画像処理部４５に出力する。
【００２７】
したがって、ＡＤＦ３が原稿を一度搬送する間に、第１読取部４１と第２読取部２９とが原稿の両面をそれぞれ読み取ることが可能である。
【００２８】
ここで、プラテンガラス３１の第１読取位置Ｌ１に紙粉や粘着物などの異物がある場合を想定する。第１読取部４１がプラテンガラス３１上の異物で反射した光を受光し続けるので、第１画像処理部４３が出力する画像データは、原稿の搬送方向に伸びる筋状のノイズを含んでしまう。このため、ＡＤＦ３は、中間ローラ２１を読取前ローラ１９よりも回転速度が速くなるように駆動する。これにより、プラテンガラス３１上に異物が供給されないようにすることができる。
【００２９】
具体的に説明すると、中間ローラ２１を読取前ローラ１９よりも回転速度が速くなるように駆動すると、読取前ローラ１９と中間ローラ２１とが原稿を引っ張るように搬送するので、原稿のたるみによる原稿とプラテンガラス３１との接触が防止される。その結果、原稿とプラテンガラス３１とが接触することによって紙粉等の異物が発生するのを防止することができる。また、原稿とともに搬送される異物がプラテンガラス３１に供給されないようにすることができる。
【００３０】
また、ＡＤＦ３の給紙トレイ１１は、原稿の給紙時における原稿の傾きを防止するためのガイド部材を有する。このガイド部材は、原稿の位置を検出するための位置検出センサを有する。さらに、ＡＤＦ３は、給紙トレイ１１の搬送方向に並んだ複数の原稿検出センサを有する。ＡＤＦ制御部６１は、位置検出センサの出力と、複数の原稿検出センサの出力との組み合わせから、給紙トレイ１１に載せられた原稿のサイズを判別する。
【００３１】
図２は、画像読取装置の制御機能の概要を示す機能ブロック図である。図２を参照して、ＡＤＦ３は、ＡＤＦ制御部６１と、それぞれがＡＤＦ制御部６１に接続された第１〜第４駆動部６３，６５，６７，６９と、第１〜第４駆動部６３，６５，６７，６９にそれぞれ接続された第１〜第４パルスモータ６４，６６，６８，７０と、第２読取部２９と、を含む。スキャナ５は、スキャナ制御部５１と、それぞれがスキャナ制御部５１に接続されたスライダ駆動部５３と、第１画像処理部４３と、第２画像処理部４５と、第１画像処理部４３に接続された第１読取部４１と、を含む。
【００３２】
スキャナ制御部５１とＡＤＦ制御部６１とは、互いに通信可能に接続される。スキャナ制御部５１とＡＤＦ制御部６１とは、互いに通信することにより、原稿のサイズ情報、動作モード、原稿を読み取るためのタイミング情報等の各種の制御情報をやりとりする。
【００３３】
第１〜第４パルスモータ６４，６６，６８，７０は、第１〜第４駆動部６３，６５，６７，６９がそれぞれ出力するφ０、φ１、φ３およびφ４の４つの励磁信号により駆動される。給紙ローラ１３、分離ローラ１５，１７、読取前ローラ１９、中間ローラ２１、読取後ローラ２３および排出ローラ２５は、第１〜第３駆動部６３，６５，６７により分割駆動され、原稿を搬送するタイミングに応じて、回転速度や回転方向が別々に切り換えられ、原稿が搬送経路を通過するのを可能にしている。具体的には、第１パルスモータ６４は、給紙ローラ１３および分離ローラ１５，１７を回転駆動させる。第２パルスモータ６６は、読取前ローラ１９および中間ローラ２１を回転駆動させる。第３パルスモータ６８は、読取後ローラ２３および排出ローラ２５を回転駆動させる。
【００３４】
第１〜第３駆動部６３，６５，６７は、読取倍率や読取モードに応じて、原稿を搬送する速度などの搬送条件を決定し、決定した搬送条件で原稿が搬送されるように第１〜第３パルスモータ６４，６６，６８の駆動を制御する。
【００３５】
第４駆動部６９は、第４パルスモータ７０の駆動を制御する。第４パルスモータ７０は、第２読取部２９を回転移動させる。第４駆動部６９は、ＡＤＦ制御部６１により制御され、画像読取装置１が、原稿の両面を同時に読み取る両面読取モードに設定されると、第２読取部２９が第２読取位置Ｌ２を向く第１位置に第２読取部２９を回転移動させる。また、第４駆動部６９は、画像読取装置１が原稿の一方の面を読み取る片面読取モードに設定されると、第２読取部２９が第２読取位置Ｌ２を向く方向とは異なる方向となる第２位置に第２読取部２９を回転移動させる。
【００３６】
スライダ駆動部５３は、スライダモータ５５の駆動を制御する。スライダモータ５５はパルスモータであり、移動可能なスライダユニットを第１読取位置Ｌ１に移動させる。スライダユニットは、光源３３と、反射部材３５と、反射ミラー３７Ａとを搭載する。
【００３７】
第１画像処理部４３は、第１読取部４１が原稿を読み取って出力する画像データが入力される。第１画像処理部４３は、入力される画像データに所定の画像処理を施し、スキャナ制御部５１に出力する。第２画像処理部４５は、第２読取部２９が原稿を読み取って出力する画像データが入力される。第２画像処理部４５は、入力される画像データに所定の画像処理を施し、スキャナ制御部５１に出力する。スキャナ制御部５１は、入力される画像データを、例えば、フラッシュＲＯＭなどに記憶する、または、外部インターフェースを介して、それに接続されたコンピュータまたは画像形成装置等に出力する。第１画像処理部４３および第２画像処理部４５とは、構成は同じなので、ここでは第１画像処理部４３について説明する。
【００３８】
図３は、第１画像処理部の機能の概要を示す機能ブロック図である。図３を参照して、
また、画像入力部８１は、第１読取部４１から赤（Ｒ）、緑（Ｇ）および青（Ｂ）それぞれの画像データが入力される。Ａ／Ｄ変換部８２は、第１読取部４１から入力されるアナログの画像データをデジタルの画像データに変換する。ＳＨ補正部８３は、Ａ／Ｄ変換部８２から入力される画像データをシューディング補正し、シェーディング補正後の画像データを明度・色差分離部８４に出力する。明度・色差分離部８４は、画像データを、明度成分と色差成分とに分離し、それぞれを画像調整部８５に出力する。画像調整部８５は、シャープネス調整部８５Ａ、ＨＶＣ調整部８５Ｂおよび濃度補正部８５Ｃを含む。シャープネス調整部８５Ａは、画像を鮮明化する処理を実行し、ＨＶＣ調整部８５Ｂは、画像の色相（Ｈ）、明度（Ｖ）および彩度（Ｃ）を調整する。濃度補正部８５Ｃは、画像の濃度を補正する。画像調整部８５は、処理したＲＧＢそれぞれの画像データを色空間変換部８６に出力する。色空間変換部８６は、画像データの色空間をＲＧＢ色空間からＬ＊ａ＊ｂ＊色空間に変換し、圧縮伸張部８７に出力する。圧縮伸張部８７は、画像データを圧縮する。圧縮伸張部８７は、圧縮した画像データを、ＥＥＰＲＯＭ等のメモリに記憶する、または、外部インターフェース（Ｉ／Ｆ）から外部の装置に出力する。
【００３９】
図４は、第２読取部の移動を説明するための図である。図４（Ａ）は、両面読取モードの場合における第２読取部２９の位置を示す図である。第２読取部２９は、原稿の搬送経路に設けられた開口部２８を介して、第２読取位置Ｌ２を向く第１位置に第４駆動部６９により位置決めされる。第２読取部２９は、原稿が第２読取位置Ｌ２を通過する再に、原稿の画像を読み取る。第２読取部２９を回転移動させる。図４（Ｂ）は、片面読取モードの場合における第２読取部２９の位置を示す図である。第２読取部２９は、第４駆動部６９により反時計回りに約９０度回転移動される。これにより、第２読取部２９は、第２読取位置Ｌ２を向く方向とは異なる方向となる第２位置に位置決めされる。第２読取部２９は、第２読取部２９を回転移動させることにより、読取面が開口部２８から遠くなる。このため、原稿の搬送経路から原稿とともに搬送されるゴミが開口部２８に到達したとしても、第２読取部２９の読取面にゴミが付着するのが防止される。また、第２読取部２９は封鎖部材２９Ａが装着されており、第２読取部２９が第２位置に位置決めされると、封鎖部材２９Ａが開口部２８を塞ぐ。これにより、ゴミが搬送経路から外に出るのを防止することができる。
【００４０】
図５は、状態制御処理の流れの一例を示すフローチャートである。状態制御処理は、ＡＤＦ制御部６１により実行される処理である。図５を参照して、ます、ステップＳ１において、読取モードが両面読取モードと片面読取モードとのいずれに設定されているかを判断する。両面読取モードに設定されていれば処理をステップＳ４へ進めるが、そうでなければ処理をステップＳ２に進める。ステップＳ２において、退避動作が可能なタイミングかどうかを判断し、そのタイミングであれば処理をステップＳ３に進め、そうでなければ処理を終了する。ステップＳ３において、退避動作を実行し、処理を終了する。具体的には、第４駆動部６９に第４パルスモータ７０を駆動させ、第２読取部２９を第１位置から第２位置に回転移動させ、位置決めさせる。
【００４１】
一方、ステップＳ１において、両面読取モードに設定されていると判断された場合は、ステップＳ４において、復帰動作が可能なタイミングかどうかを判断し、そのタイミングであれば処理をステップＳ５に進め、そうでなければ処理を終了する。ステップＳ５において、復帰動作を実行し、処理を終了する。具体的には、第４駆動部６９に第４パルスモータ７０を駆動させ、第２読取部２９を第２位置から第１位置に回転移動させ、位置決めさせる。
【００４２】
片面読取モードの場合に第２読取部２９を第１位置から第２位置に回転移動させるようにしたが、第２読取部２９の移動は回転移動に限らず、第２読取部２９の読取面が搬送経路から遠ざかる方向に移動できればよく、例えば平行移動などの直線移動であってもよい。平衡移動させることによって、第２読取部２９の読取面が、それを保護するための空間に収納されるようにしてもよい。
【００４３】
＜第１の変形例＞
上述した画像読取装置１は、片面読取モードの場合に第２読取部２９を第１位置から第２位置に移動させるようにしたが、第１の変形例における画像読取装置１は、第２読取部２９を固定し、両面読取モードの場合と片面読取モードの場合とで原稿の搬送経路を切り換えるようにしたものである。以下、上述した画像読取装置１と異なる点を主に説明する。
【００４４】
図６は、第１の変形例における画像読取装置のＡＤＦの内部構成の概略を示す断面図である。図６を参照して、原稿の搬送経路が領域９５で示す部分で２つの搬送経路を含む。図７（Ａ）および図７（Ｂ）は、図６の一部を拡大した図である。図７（Ａ）は、両面読取モードにおける拡大図を示し、図７（Ｂ）は、片面読取モードにおける拡大図を示す。
【００４５】
図７（Ａ）および図７（Ｂ）を参照して、原稿の搬送経路は、中間ローラ２１の下流で第１部分経路９１と、第２部分経路９２に分岐する。第１部分経路９１と第２部分経路９２とは、排出ローラ２５の上流で合流する。第１部分経路９２は第２読取位置Ｌ２を含むが、第２部分経路９２は第２読取位置Ｌ２を含まない。第１部分経路９１と第２部分経路９２との入口に切換爪９３が設けられており、この切換爪９３により第１部分経路９１と第２部分経路とのいずれかに切り換えられる。
【００４６】
ここで、図２を参照して、第４パルスモータ７０は、切換爪９３を移動させる。第４駆動部６９は、ＡＤＦ制御部６１により制御され、画像読取装置１が、原稿の両面を同時に読み取る両面読取モードに設定されると、切換爪９３が第１部分経路９１を選択するように切換爪９３を移動させる。また、第４駆動部６９は、画像読取装置１が原稿の一方の面を読み取る片面読取モードに設定されると、切換爪９３が第１部分経路９１を選択するように切換爪９３を移動させる。
【００４７】
図７（Ａ）に戻って、両面読取モードに設定されている場合、中間ローラ２１により搬送される原稿は、切換爪９３により第１部分経路９１に導かれる。このため、原稿は第２読取位置Ｌ２を通過するので、第２読取部２９が開口部２８を介して原稿に形成された画像を読み取る。
【００４８】
図７（Ｂ）を参照して、片面読取モードに設定されている場合、中間ローラ２１により搬送される原稿は、切換爪９３により第２部分経路９２に導かれる。このため、原稿は第１部分経路を通過しないので、原稿とともに搬送されるゴミが開口部２８から進入するのを防止することができる。また、切換爪９３が第１部分経路を塞ぐので、原稿が搬送されることにより発生するゴミが開口部２８から進入するのを防止することができる。
【００４９】
図５に示した状態制御処理におけるステップＳ３では、ＡＤＦ制御部６１は、第４駆動部６９に第４パルスモータ７０を駆動させ、切換爪９３を第１部分経路を選択する位置に移動させる。また、ステップＳ５においては、第４駆動部６９に第４パルスモータ７０を駆動させ、切換爪９３を第２部分経路を選択する位置に移動させる。
【００５０】
＜第２の変形例＞
第２の変形例における画像読取装置１は、第２読取部２９と原稿との間の距離が片面読取モードの場合に両面読取モードの場合よりも長くなるようにするようにしたものである。以下、上述した画像読取装置１と異なる点を主に説明する。
【００５１】
図８は、第２の変形例における画像読取装置のＡＤＦの内部構成の概略を示す断面図である。図８を参照して、原稿の搬送経路が領域１０５で示す部分で湾曲部１０１を含む。図９（Ａ）および図９（Ｂ）は、図８の一部を拡大した図である。図９（Ａ）は、両面読取モードにおける拡大図を示し、図９（Ｂ）は、片面読取モードにおける拡大図を示す。
【００５２】
図９（Ａ）および図９（Ｂ）を参照して、原稿の搬送経路は、中間ローラ２１と読取後ローラ２３との間に湾曲部１０１を含む。湾曲部１０１は、搬送経路の開口部２８に対抗する面が下方に湾曲している。なお、図中の一転鎖線は、原稿の搬送経路を示し、実際には存在しない。
【００５３】
両面読取モードの場合、読取後ローラ２３と中間ローラ２１とを同じ回転速度、または読取後ローラ２３を中間ローラよりも速い回転速度で回転させることにより、図９（Ａ）に一点鎖線で示す搬送経路で原稿を搬送する。このときの第２読取部２９の読取面と原稿との間の距離をΔｄとする。一方、片面読取モードの場合は、中間ローラ２１により搬送された原稿が、読取後ローラ２３に到達した時点では読取後ローラ２３を回転させず、読取後ローラ２３が回転を開始するタイミングを少し遅らせる。これにより、中間ローラ２１により押し出される原稿が、下方に向かって湾曲部１０１に至るまで湾曲する。その後、読取後ローラ２３を中間ローラ２１と同じ回転速度で回転させることにより、図９（Ｂ）に一点鎖線で示す搬送経路で原稿を搬送することができる。このときの第２読取部２９の読取面と原稿との間の距離をΔｄ’とする。
【００５４】
第２読取部２９の読取面と原稿との間の距離は、両面読取モードの場合に比べて片面読取モードの場合の方が長くなる（△d’＞△d）。片面読取モードの場合に、第２読取部２９の読取面と原稿との間の距離を長くすることにより、第２読取部２９の読取面に原稿が搬送されることにより発生する紙粉等のゴミが付く量を低減することができる。
【００５５】
図２に示した第４駆動部６９および第４パルスモータ７０は、第２の変形例においては不要である。
【００５６】
図５に示した状態制御処理におけるステップＳ３では、ＡＤＦ制御部６１は、第２駆動部６５に第２パルスモータ６６を駆動させ、中間ローラ２１を回転させる。そして、原稿が読取後ローラ２３に到達してから所定時間経過後に第３駆動部６７に第３パルスモータ６８を駆動させ、読取後ローラ２３を回転させる。一方、ステップＳ５においては、ＡＤＦ制御部６１は、第２駆動部６５に第２パルスモータ６６を駆動させ、中間ローラ２１を回転させるとともに、第３駆動部６７に第３パルスモータ６８を駆動させ、読取後ローラ２３を回転させる。
【００５７】
＜第３の変形例＞
第３の変形例における画像読取装置１は、原稿の搬送経路の開口部２８を遮蔽する閉鎖部材を設けるようにしたものである。以下、上述した画像読取装置１と異なる点を主に説明する。
【００５８】
図１０は、第３の変形例における画像読取装置のＡＤＦ３Ｃの内部構成の概略を示す断面図である。図１０を参照して、ＡＤＦ３Ｃの原稿の搬送経路が有する開口部２８を閉鎖するための閉鎖部材１１１を備える。
【００５９】
ここで、図２を参照して、第４パルスモータ７０は、閉鎖部材１１１を移動させる。第４駆動部６９は、ＡＤＦ制御部６１により制御され、画像読取装置１が、原稿の両面を同時に読み取る両面読取モードに設定されると、閉鎖部材１１１が開口部２８を開口する位置に閉鎖部材１１１を移動させる。また、第４駆動部６９は、画像読取装置１が原稿の一方の面を読み取る片面読取モードに設定されると、閉鎖部材１１１が開口部２８を閉鎖する位置に閉鎖部材１１１を移動させる。
【００６０】
図１０に戻って、両面読取モードの場合、閉鎖部材１１１が開口部２８を開口するので、第２読取部２９が開口部２８を介して第２読取位置Ｌ２を通過する原稿に形成された画像を読み取る。一方、片面読取モードに設定されている場合、閉鎖部材１１１が開口部２８を閉鎖するので、原稿の搬送経路と第２読取部２９との間が閉鎖部材１１１により遮断される。このため、原稿が搬送されることにより発生するゴミが開口部２８から進入するのを防止することができる。
【００６１】
図５に示した状態制御処理におけるステップＳ３では、ＡＤＦ制御部６１は、第４駆動部６９に第４パルスモータ７０を駆動させ、閉鎖部材１１１を搬送経路の開口部２８を閉鎖する位置に移動させる。また、ステップＳ５においては、第４駆動部６９に第４パルスモータ７０を駆動させ、閉鎖部材１１１を搬送経路の開口部２８を閉鎖する位置に移動させる。
【００６２】
さらに、閉鎖部材１１１の第２読取部２９側に、読取面に接触する清掃部材を設けることにより、閉鎖部材１１１の移動時に清掃部材が読取面を清掃することができる。
【００６３】
＜第２の実施の形態＞
第２の実施の形態における画像読取装置は、第１の実施の形態における画像読取装置のＡＤＦ３の搬送経路に改良を加え、第１読取位置Ｌ１を通過した原稿を反転し、再度第１読取位置Ｌ１を通過させることにより、第１読取部４１が原稿の両面を読み取る。第１読取部４１のみで原稿の両面を読み取るモードを、第１の実施の形態における両面読取モードと区別するために、反転両面読取モードという。以下、第１の実施の形態における画像読取装置１と異なる点を主に説明する。
【００６４】
図１１は、第２の実施の形態における画像読取装置のＡＤＦの内部構成の概略を示す断面図である。図１１を参照して、ＡＤＦ３Ｄは、給紙ローラ１３、分離ローラ１５，１７、読取前ローラ１９、中間ローラ２１、読取後ローラ２３を順に通る第１搬送経路１２１に加えて、排出ローラ２５から搬送ローラ２７を経由して読取前ローラ１９に至る第２搬送経路１２３と、中間ローラ２１から反転ローラ２６に至る第３搬送経路１２５と、反転ローラ２６から排出ローラ２５に至る第４搬送経路１２７とを含む。
【００６５】
中間ローラ２１の下流で、第１部分経路９１と第３搬送経路１２５の分岐点に、分岐用切換爪９５が設けられる。分岐用切換爪９５が上方向に移動すると第３搬送経路１２５が選択され、分岐用切換爪９５が下方向に移動すると第１部分経路９１が選択される。
【００６６】
図１２は、原稿の搬送経路を説明するための図である。図１２を参照して、反転両面読取モードでない場合、ＡＤＦ３Ｄは、分岐用切換爪９５を下方向に移動させる。このため、原稿は第１部分経路９１を搬送され、読取後ローラ２３で搬送される原稿は、排紙トレイ２７に排紙される。この場合には、第１の実施の形態における画像読取装置１と同様に、両面読取モードの場合には、第２読取部２９が第１の位置に移動され、片面読取モードの場合には第２の位置に移動される。
【００６７】
一方、ＡＤＦ３Ｄは、反転両面読取モードに設定されている場合、まず、分岐用切換爪９５を下方向に移動させ、分離ローラ１５，１７、読取前ローラ１９、中間ローラ２１、読取後ローラ２３を順に通る第１搬送経路１２１で原稿を搬送する。分岐用切換爪９５が下方向に移動しているので、中間ローラ２１により搬送される原稿は、第１搬送経路１２１の最後に設けられる読取後ローラ２３まで搬送される。読取後ローラ２３は、原稿を途中まで搬送した後、逆回転して原稿を第２搬送経路１２３に導く。第２搬送経路１２３を搬送される原稿は、搬送ローラ２７により読取前ローラ１９に搬送される。これにより、読取前ローラ１９が原稿を第１読取位置に再度原稿を搬送する。原稿は、１回目に搬送された面と半対面が第１読取部４１により読み取られる。
【００６８】
さらに、原稿は中間ローラ２１により搬送されるが、このとき分岐用切換爪９５は上方向に移動される。このため、中間ローラ２１により搬送される原稿は、第３搬送経路１２５の最も下流に設けられる反転ローラ２６まで搬送される。反転ローラ２６は、原稿を途中まで搬送した後、逆回転して原稿を第４搬送経路１２７に導く。反転ローラ２６により搬送される原稿は、第４搬送経路１２７の最も下流に設けられる排出ローラ２５で搬送され、排紙トレイ２７に排出される。
【００６９】
この反転両面読取モードの場合には、第２読取部２９が第２の位置に移動される。この結果、反転両面読取モードの場合に、原稿は第２読取部２９の第２読取位置Ｌ２を通過するが、第２読取部２９が第２の位置に移動するので、第２読取部２９の読取面にゴミが付くのを防止することができる。
【００７０】
なお、第２の実施の形態における画像読取装置１においても、第１の実施の形態において説明した第１〜第３の変形例を適用することができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】本発明の第１の実施の形態における画像読取装置の内部構成の概略を示す断面図である。
【図２】画像読取装置の制御機能の概要を示す機能ブロック図である。
【図３】第１画像処理部の機能の概要を示す機能ブロック図である。
【図４】第２読取部の移動を説明するための図である。
【図５】状態制御処理の流れの一例を示すフローチャートである。
【図６】第１の変形例における画像読取装置のＡＤＦの内部構成の概略を示す断面図である。
【図７】図６の一部を拡大した図である。
【図８】第２の変形例における画像読取装置のＡＤＦの内部構成の概略を示す断面図である。
【図９】図８の一部を拡大した図である。
【図１０】第３の変形例における画像読取装置のＡＤＦの内部構成の概略を示す断面図である。
【図１１】第２の実施の形態における画像読取装置のＡＤＦの内部構成の概略を示す断面図である。
【図１２】原稿の搬送経路を説明するための図である。
【符号の説明】
【００７３】
１  画像読取装置、３  ＡＤＦ、５  スキャナ、１１  給紙トレイ、１３  給紙ローラ、１５，１７  分離ローラ、１９  読取前ローラ、２１  中間ローラ、２３  読取後ローラ、２４  搬送ローラ、２５  排出ローラ、２６  反転ローラ、２７  排紙トレイ、２８  開口部、２９  第２読取部、３１  プラテンガラス、３３  光源、３５  反射部材、３７Ａ，３７Ｂ，３７Ｃ  反射ミラー、３９  レンズ、４１  第１読取部、４３  第１画像処理部、４５  第２画像処理部、５１  スキャナ制御部、５３  スライダ駆動部、５５  スライダモータ、６１  ＡＤＦ制御部、６３  第１駆動部、６４  第１パルスモータ、６５  第２駆動部、６６  第２パルスモータ、６７  第３駆動部、６８  第３パルスモータ、６９  第４駆動部、７０  第４パルスモータ、９１  第１部分経路、９２  第２部分経路、９３  切換爪、９５  分岐用切換爪、１０１  湾曲部、１１１  閉鎖部材、１２１  第１搬送経路、１２３  第２搬送経路、１２５  第３搬送経路、１２７  第４搬送経路。
【図１】
2008193447.tif 000003
【図２】
2008193447.tif 000004
【図３】
2008193447.tif 000005
【図４】
2008193447.tif 000006
【図５】
2008193447.tif 000007
【図６】
2008193447.tif 000008
【図７】
2008193447.tif 000009
【図８】
2008193447.tif 000010
【図９】
2008193447.tif 000011
【図１０】
2008193447.tif 000012
【図１１】
2008193447.tif 000013
【図１２】
2008193447.tif 000014